(57)【要約】      （修正有）【課題】商品を脱落させずに包装することが可能な商品包装材を提供する。【解決手段】商品包装材１０は、正面シート１１と背面シート１２とが横方向に連なって構成されるシート本体１３と、正面シートおよび背面シートの双方から縦方向に伸びる係合シート１４，１５とを備える。また、係合シートの先端には、折り曲げ自在となる係合片２１，３１が形成される。この係合シートは、正面シートや背面シートに対して折り曲げられ、商品Ｘを包装する際には係合シートが正面シートと背面シートとの間に配置される。さらに、係合シートの係合片は上方に向けて折り返された状態となっており、包装時には商品の布地Ｘａ，Ｘｂに対して係合片のそれぞれが食い込んだ状態となる。【選択図】図３
2008285174.tif 000002
【特許請求の範囲】
【請求項１】
シート材料を折り曲げて形成され、商品の包装に使用される商品包装材であって、
前記商品の一部を一方側から覆う第１シートと、前記第１シートに連なって前記商品の一部を他方側から覆う第２シートとを備えるシート本体と、
前記第１シートと前記第２シートとの少なくともいずれか一方に連なって設けられ、先端に折り曲げ自在となる係合片を備える係合シートとを有し、
前記係合シートを折り曲げて前記第１シートと前記第２シートとの間に配置し、前記係合シートの前記係合片を折り返して前記商品に係合させることを特徴とする商品包装材。
【請求項２】
請求項１記載の商品包装材において、
前記係合シートは前記第１シートと前記第２シートとの双方に設けられることを特徴とする商品包装材。
【請求項３】
請求項１または２記載の商品包装材において、
前記係合シートの側部には前記商品に係合する滑り止め部が形成されることを特徴とする商品包装材。
【発明の詳細な説明】
【技術分野】
【０００１】
本発明は、シート材料を折り曲げて形成される商品包装材に関する。
【背景技術】
【０００２】
スーパーや百貨店等においては、トランクス、ショーツ、ガードル等の商品をコンパクトに見栄え良く陳列するため、これらの商品を包装材によって包装するとともに陳列棚に吊り下げて販売することが多い(たとえば、特許文献１参照)。特許文献１に記載された包装材にあっては、表側から見たときのデザインと裏側から見たときのデザインとの差異を無くすことにより、商品陳列時の見栄えを向上させるようにしている。
【特許文献１】特開２００２−２９３３９１号公報
【発明の開示】
【発明が解決しようとする課題】
【０００３】
ところで、特許文献１に記載された包装材にあっては、商品を上下に折り畳んだ状態で陳列する構造となっているため、商品の全体形状が分かり難いという問題がある。このような問題を解消するため、トランクス等の商品を上下に折り畳むことなく上部を保持して吊り下げようとすると、商品が包装材から脱落し易くなるという問題がある。
【０００４】
本発明の目的は、商品を脱落させずに包装することが可能な商品包装材を提供することにある。
【課題を解決するための手段】
【０００５】
本発明の商品包装材は、シート材料を折り曲げて形成され、商品の包装に使用される商品包装材であって、前記商品の一部を一方側から覆う第１シートと、前記第１シートに連なって前記商品の一部を他方側から覆う第２シートとを備えるシート本体と、前記第１シートと前記第２シートとの少なくともいずれか一方に連なって設けられ、先端に折り曲げ自在となる係合片を備える係合シートとを有し、前記係合シートを折り曲げて前記第１シートと前記第２シートとの間に配置し、前記係合シートの前記係合片を折り返して前記商品に係合させることを特徴とする。
【０００６】
本発明の商品包装材は、前記係合シートは前記第１シートと前記第２シートとの双方に設けられることを特徴とする。
【０００７】
本発明の商品包装材は、前記係合シートの側部には前記商品に係合する滑り止め部が形成されることを特徴とする。
【発明の効果】
【０００８】
本発明によれば、商品を挟み込む第１シートと第２シートとの間に係合シートを配置し、折り返された係合シートの係合片を商品に対して係合させるようにしたので、商品包装材から脱落させずに商品を包装することが可能となる。
【発明を実施するための最良の形態】
【０００９】
以下、本発明の実施の形態を図面に基づいて詳細に説明する。図１は本発明の一実施の形態である商品包装材１０を展開した状態で示す平面図であり、図２は商品包装材１０の使用状態を示す斜視図である。
【００１０】
図１に示すように、紙や樹脂等のシート材料を用いて形成される商品包装材１０は、略長方形状の正面シート(第１シート)１１と背面シート(第２シート)１２とが横方向に連なって構成されるシート本体１３と、正面シート１１および背面シート１２の双方から縦方向に伸びる係合シート１４，１５とを備えている。このようなシート状の商品包装材１０を折り曲げることにより、図２に示すように、トランクスやスパッツ等の商品Ｘの上部を保持しながら包装することが可能となっている。また、商品包装材１０にはフック部材１６が取り付けられており、陳列棚の棒状部材１７に商品Ｘを吊り下げることが可能となっている。
【００１１】
図１に示すように、正面シート１１から縦方向に延びる係合シート１４は、正面シート１１に連なる基板２０と、この基板２０に連なる係合片２１とを備えている。また、係合片２１の先端には波形に形成された食い込み部２１ａが形成されており、基板２０の両側端には波形に形成された滑り止め部２０ａが形成されている。さらに、正面シート１１と係合シート１４とに跨るように、正面シート１１と係合シート１４とには商品Ｘの一部を露出させるための開口部２２が形成されている。
【００１２】
また、正面シート１１の横方向の一端側には側壁部２３を介して舌片２４が連結されており、正面シート１１の横方向の他端側には側壁部２５を介して背面シート１２が連結されている。さらに、背面シート１２には円弧状の切り込み２６が形成されており、商品包装材１０を組み立てる際には、正面シート１１と背面シート１２とを対面させるように折り曲げた後に、背面シート１２の切り込み２６に対して舌片２４が挿入されるようになっている。また、背面シート１２から縦方向に延びるように、背面シート１２には天壁部２７を介して係合シート１５が連結されている。この係合シート１５は、正面シート１１に連なる基板３０と、この基板３０に連なる係合片３１とを備えている。前述した係合シート１４と同様に、係合片３１の先端には波形に形成された食い込み部３１ａが形成されており、基板３０の両側端には波形に形成された滑り止め部３０ａが形成されている。さらに、背面シート１２と係合シート１５との間に設けられる天壁部２７には、フック部材１６を取り付けるための取付孔３２が形成されている。
【００１３】
続いて、前述した商品包装材１０による商品Ｘの包装手順について説明する。図３(Ａ)〜(Ｃ)および図４(Ａ)〜(Ｃ)は商品包装材１０による商品Ｘの包装手順を示す説明図である。まず、図３(Ａ)〜(Ｃ)に示すように、正面シート１１に対して係合シート１４の基板２０が折り返され(矢印ａ１)、この係合シート１４の基板２０に対して係合片２１が折り返される(矢印ａ２)。同様に、背面シート１２に対して係合シート１５の基板３０が折り返され(矢印ｂ１)、この係合シート１５の基板３０に対して係合片３１が折り返される(矢印ｂ２)。そして、折り返された係合シート１４を商品Ｘのウェスト部内に挿入するように商品Ｘが配置される。このとき、正面シート１１によって商品Ｘの上部が正面側から覆われた状態となっている。次いで、図４(Ａ)〜(Ｃ)に示すように、商品Ｘの側部を折り返しながら商品Ｘの上部を背面側から覆うように、背面シート１２および係合シート１５が折り返される(矢印ｃ１)。また、商品Ｘの側部を折り返しながら舌片２４が折り曲げられ(矢印ｄ１)、背面シート１２の切り込み２６に対して舌片２４が挿入される。なお、図４(Ｂ)に示すように、舌片２４を折り返す際には、商品Ｘのウェスト部を横方向に引っ張りながら係合シート１４，１５に対して巻き掛けることが好ましい。
【００１４】
次いで、商品包装材１０による商品Ｘの保持状態について説明する。ここで、図５は図２のＡ−Ａ線に沿って商品包装材１０の保持構造を示す断面図である。また、図６は図５のＡ−Ａ線に沿って商品包装材１０の保持構造を示す断面図であり、図７は図５のＢ−Ｂ線に沿って商品包装材１０の保持構造を示す断面図である。まず、図５および図６に示すように、正面シート１１と背面シート１２との間には２つの係合シート１４，１５が配置されており、商品Ｘのウェスト部に挿入される一方の係合シート１４によって表側の布地Ｘａが保持され、商品Ｘのウェスト部に対向して配置される他方の係合シート１５によって裏側の布地Ｘｂが保持されるようになっている。このように、係合シート１４，１５の先端に設けられる係合片２１，３１を上方に向けて折り返し、この係合片２１，３１によって布地Ｘａ，Ｘｂのそれぞれを下方から支持するようにしたので、商品包装材１０によって商品Ｘを確実に保持することが可能となる。また、図５および図７に示すように、係合シート１４，１５の側部を囲うように商品Ｘの側部を折り返したので、係合シート１４，１５の滑り止め部２０ａ，３０ａに対して商品Ｘを係合させることが可能となり、商品包装材１０からの脱落を確実に防止することが可能となる。
【００１５】
これまで説明したように、係合シート１４，１５を折り返した状態のもとで商品包装材１０の上に商品Ｘを配置し、背面シート１２を折り返すとともに舌片２４を切り込み２６に挿入するだけの作業で商品Ｘを簡単に包装することが可能となる。しかも、係合シート１４，１５に対して折り返される係合片２１，３１を形成するとともに、係合シート１４，１５の基板２０，３０に対して波形の滑り止め部２０ａ，３０ａを形成するようにしたので、包装された商品Ｘの脱落を防止することが可能となる。また、シート材料を打ち抜くだけで商品包装材１０を形成することができるため、商品包装材１０の製造コストを引き下げることが可能となる。さらに、図１に示すように、展開された商品包装材１０の形状はほぼ長方形状であるため、歩留まり良く商品包装材１０を製造することが可能となっている。さらに、正面シート１１に対して開口部２２を形成するようにしたので、包装された商品Ｘのウェスト部を露出させることができ、顧客に対して商品Ｘをアピールすることも可能となる。
【００１６】
以上、本発明者によってなされた発明を実施の形態に基づき具体的に説明したが、本発明は前記実施の形態に限定されるものではなく、その要旨を逸脱しない範囲で種々変更可能であることはいうまでもない。図示する場合には、２つの係合シート１４，１５を正面シート１１と背面シート１２とに対して設けるようにしているが、これに限られることはなく、１つの係合シートを正面シート１１または背面シート１２に対して設けるようにしても良い。また、滑り止め部２０ａ，３０ａや食い込み部２１ａ，３１ａは波形に形成されているが、この形状に限られることはなく、十分に商品Ｘに対して係合可能な形状であれば他の形状であっても良いことはいうまでもない。さらに、シート本体１３に対してフック部材１６を取り付けるようにしているが、これに限られることはなく、背面シート１２や係合シート１５に対してフック形状に切り込みを形成することにより、切り込まれたフック部材を折り返して使用するようにしても良い。
【図面の簡単な説明】
【００１７】
【図１】本発明の一実施の形態である商品包装材を展開した状態で示す平面図である。
【図２】商品包装材の使用状態を示す斜視図である。
【図３】(Ａ)〜(Ｃ)は商品包装材の組立手順を示す説明図である。
【図４】(Ａ)〜(Ｃ)は商品包装材の組立手順を示す説明図である。
【図５】図２のＡ−Ａ線に沿って商品包装材の保持構造を示す断面図である。
【図６】図５のＡ−Ａ線に沿って商品包装材の保持構造を示す断面図である。
【図７】図５のＢ−Ｂ線に沿って商品包装材の保持構造を示す断面図である。
【符号の説明】
【００１８】
１０    商品包装材
１１    正面シート(第１シート)
１２    背面シート(第２シート)
１３    シート本体
１４    係合シート
１５    係合シート
２０ａ  滑り止め部
２１    係合片
３０ａ  滑り止め部
３１    係合片
【図１】
2008285174.tif 000003
【図２】
2008285174.tif 000004
【図３】
2008285174.tif 000005
【図４】
2008285174.tif 000006
【図５】
2008285174.tif 000007
【図６】
2008285174.tif 000008
【図７】
2008285174.tif 000009